(57)【特許請求の範囲】
【請求項１】
搬送される紙葉類の搬送面に設けられる磁気ヘッドにより磁気情報を読み取り紙葉類を識別するようにした紙葉類識別機の磁気ヘッド装置において、前記搬送面を挟んで磁気ヘッドに対向する位置に設けられた第１回転体と、該第１回転体の外周面に植毛され、先端が前記磁気ヘッドに接触する長さを有する弾性材料からなる毛と、前記第１回転体と同軸上に設けられ、第１回転体の直径より大きく、かつ前記磁気ヘッドに接触しない直径を有する第２回転体とを具備することを特徴とする紙葉類識別機の磁気ヘッド装置。
【発明の詳細な説明】
【０００１】
【発明の属する技術分野】
本発明は紙葉類識別機に係り、特に紙葉類の磁気情報を読み取って紙葉類を識別するための紙葉類識別機の磁気ヘッド装置に関する。
【０００２】
【従来の技術】
従来、この種の磁気ヘッド装置としては、例えば実開昭５９−８０８７７号公報に開示されたものが知られている。すなわち図７に示すように、搬送される紙幣ａの通路面ｂに設けられた磁気ヘッドｃによって紙幣ａの磁気量を検出することにより紙幣ａを識別するようにした紙幣識別機において、通路面ｂを挟んで磁気ヘッドｃに対向する位置に回転可能に設けられた外周面に弾力性を有する毛ｅを植毛した押さえローラｄを備えたもので、この押さえローラｄの外周面が前記通路面ｂを通過する紙幣ａを前記磁気ヘッドｃ側に押圧することにより紙幣ａの識別を行うようになされたものである。
【０００３】
【発明が解決しようとする課題】
しかしながら上記のような従来装置においては、押さえローラｄに植え付けられた毛ｅが使用しているうちに次第に抜けてきて押圧が不十分になり、延いては識別が出来なくなるという問題があった。その結果、装置の耐久性が低下するという問題のほか抜けた毛ｅが通路内に残って磁気ヘッドｃによる読み取りや下流域における処理等にも悪影響を及ぼすという問題を引き起こしていた。
【０００４】
上記の毛が抜け易くなる理由について詳しく説明すると、搬送されてきた紙幣ａの先端が毛ｅの中間位置やそれより先端側に衝突した場合、毛ｅの弾性によって毛ｅが撓んで紙幣ａを逃がすので、毛ｅの根元部分は衝撃を受けない。ところが、図８に示すように先端が上方へ向かうような折りぐせの付いた紙幣ａが搬送されてきた場合、その紙幣ａの先端が毛ｅの根元部分に衝突するので毛ｅは撓むことができず、衝撃をまともに受けて抜け易くなる。図中、ｆは回転軸、ｇはガイド部材である。
【０００５】
【課題を解決するための手段】
本発明は、耐久性が優れ、かつ正確な磁気の検出が可能な磁気ヘッド装置を提供することを課題としてなされたもので、その解決手段としては、搬送される紙葉類の搬送面に設けられる磁気ヘッドにより磁気情報を読み取り紙葉類を識別する紙葉類識別機の磁気ヘッド装置において、前記搬送面を挟んで磁気ヘッドに対向する位置に設けられた第１回転体と、該第１回転体の外周面に植毛され、先端が前記磁気ヘッドに接触する長さを有する弾性材料からなる毛と、前記第１回転体と同軸上に設けられ、第１回転体の直径より大きく、かつ前記磁気ヘッドに接触しない直径を有する第２回転体とを具備せしめたものであり、これにより毛の中間位置や先端に衝突した紙葉類は、毛の弾性によって衝撃が和らげられ、また毛の根元部分に向かおうとした紙葉類は、その先端が第２回転体の周縁に当接して方向が変えられ、そして先端は毛の先端もしくは途中位置に接触し、毛の弾性により衝撃が和らげられ、毛の根元部分には接触しない。その後、紙葉類は毛によって磁気ヘッドに押し付けられながら搬送され、磁気情報が読み取られることになる。
【０００６】
【発明の実施の形態】
本発明にかかる紙葉類識別機の磁気ヘッド装置の構造を以下の図面に示す実施の形態を参照して説明する。
【０００７】
図１乃至図３は本発明にかかる紙幣識別機の平面図、正面図および側面図を示すもので、磁気ヘッド装置はこの紙幣処理機内に組込まれる。一方、この紙幣識別機は紙幣処理機内に載置され、上流側から搬送されてくる紙幣を識別して、その識別結果に基づいて下流側で所定の処理が行われるようにしたものである。
【０００８】
紙幣識別機１は、搬送面４に搬送される紙幣５を識別するために搬送面４を挟んで上部ユニット２と下部ユニット３に分割され、このうち上部ユニット２は一側を支軸６により回動可能に接続されている。これにより上部ユニット２を回動させて下部ユニット３から引き離すことにより搬送面４を開放することができ、詰まりの解除等を容易に行うことができるようになっている。そして搬送面４には上流側から順に、タイミング検知部、磁気検知部、イメージ検知部、厚み検知部が配設されている。
【０００９】
タイミング検知部は、上部ユニット２に配置される３個のセンサによって構成され、幅方向のほぼ中央位置にはフォトセンサ２４（紙幣の様子を見る）が配置され、その左右に色センサ２３、２３（紙幣の色を見る）が配置されている。
【００１０】
またこれらのセンサは搬送される紙幣５の先端を検出することによって紙幣５の進入を検知するタイミングセンサとしての機能や、紙幣５の先端を検出してから同後端を検出するまでの時間に基づいて紙幣５の長さを検出する機能も有する。
【００１１】
磁気検知部は、下部ユニット３に搬送幅方向に並べて配置され上面が搬送面４に突出する２個の磁気ヘッド７，７と、各磁気ヘッド７，７に対向して上部ユニット２に配置される第１回転軸８に支持された押付ローラ９，９からなる。
【００１２】
前記押付ローラ９，９は、図４に示すように第１回転軸８に取付けられる円柱形の第１回転体９ａの周囲に弾性を有するナイロン製の毛９ｂが植毛されたもので、毛９ａは先端が磁気ヘッド７に達する長さとなっている。そして第１回転体９ａの両側面には第２回転体１３，１３が取付けられている。
【００１３】
この第２回転体１３は剛性材料によって形成され、外縁が搬送面４に突出し、かつ磁気ヘッド７に達しない大きさを有する。
【００１４】
第１回転軸８が接続される駆動機構１４は、単一の駆動モータ１５および駆動伝達機構１６からなり、第１回転軸８および下流に位置する第２回転軸１０を紙幣搬送方向（図３の反時計方向）に回転駆動する。
【００１５】
また第１回転軸８には、押付ローラ９，９の間の位置に２個の駆動ローラ１７，１７が取り付けられ、各駆動ローラ１７，１７に対向して下部ユニット３に配置される従動ローラ１８，１８と協動で紙幣５を挟持搬送する。
【００１６】
イメージ検出部は、上部ユニット２に取付けられるイメージセンサ１９によって構成される。このイメージセンサ１９は搬送幅方向全域にわたり読み取り面を有する。
【００１７】
厚み検知部は、下部ユニット３に取付けられる厚み検知ローラ２０と、これに対向して上部ユニット２に取付けられる対向ローラ１１，１１によって構成される。厚み検知ローラ２０は、軸支部に形成される長孔２１に沿って上下動可能に支持されるとともに、付勢手段（押さえバネ）２２によって対向ローラ１１，１１に上方に向け押し付けられるように取付けられている。
【００１８】
また厚み検知部には厚み検知ローラ２０の移動量が所定値以上になると厚み異常信号を発する移動量検知手段が設けられている。
【００１９】
対向ローラ１１，１１は第２回転軸１０に取り付けられ、紙幣５を搬送する方向に駆動するようになっている。厚み検知ローラ２０は、対向ローラ１１，１１に接触するか、あるいは搬送される紙幣５の下面に接触して従動回転するようになっている。
【００２０】
つぎに作用を説明する。
【００２１】
図１に示すように紙幣識別機１の上流側に配置される図示しない搬送手段を経て紙幣５が紙幣識別機１に縦長の向きで搬送面４に搬送される。
【００２２】
そして紙幣５の先端がタイミング検知部に達すると、ここに配置されたセンサによって紙幣５の進入を検知する。この紙幣５の搬送に伴って、フォトセンサ２４が紙幣５の中央部分の模様を見るとともに、左右の色センサ２３、２３が色を見る。
【００２３】
またこれらの各センサが紙幣５の先端を検知してから紙幣５の後端を検知するまでの時間によって紙幣の長さを確認する。
【００２４】
紙幣５の先端が磁気検知部に達すると、駆動ローラ１７および従動ローラ１８によって紙幣５が挟持搬送される。
【００２５】
同時に紙幣５は図６に示すように押付ローラ９，９によって磁気ヘッド７に弾性的に押し付けられ、磁気情報が読み取られる。紙幣５は搬送面４に突出する毛９ｂによって弾性的に押し付けられ、これにより紙幣５と磁気ヘッド７の接触条件が安定し、読み取りが確実に行われる。また先端が上方に折れ曲がった紙幣５が搬送されてきた場合であっても、該先端が第２回転体１３の周縁に接触しながら下流方向へ受け流されるので、毛９ｂの根元部分に衝突することはない。
【００２６】
したがって毛９ｂの根元部分が衝撃を受けることがなく、抜ける可能性も低くなる。紙幣５が搬送されてイメージ検出部に達すると、搬送に伴い上面全域のイメージがイメージセンサ１９によって読み取られる。
【００２７】
紙幣５が厚み検知部に達すると、紙幣５の厚みに応じて厚み検知ローラ２０が押し下げられながら紙幣５は搬送される。この際の押し下げ量が所定値以上であれば、異常（２枚重なり紙幣、テープ貼り紙幣等）と判断する。
【００２８】
各検知手段による検知結果に基づいて、下流における処理（分類、収納、返却等）が決定される。
【００２９】
なお、押付ローラ９，９の側面の第２回転体１３は、毛９ｂの根元部分への紙幣５の衝突を回避できればよく、図４に示した植毛部の両側に第２回転体１３が配置された形状だけでなく、図５のように植毛部の真ん中に第２回転体１３を配置した形状としてもよい。
【００３０】
【発明の効果】
本発明は以上説明したように構成したから、第２回転体の存在により紙葉類の先端が押付ローラの毛の根元部分に衝突しないようにしたことにより、毛の抜けを抑制し、耐久性に優れるとともに、正確な磁気の検出が可能な磁気ヘッド装置とすることができる。
【図面の簡単な説明】
【図１】本発明にかかる紙幣識別機の磁気ヘッド装置の一実施形態を示す平面図。
【図２】図１の正面図。
【図３】図１の側面図。
【図４】本発明の紙幣識別機の磁気ヘッド装置における押付けローラの一実施形態例を示し、（Ａ）は正面図、（Ｂ）は（Ａ）のＣ−Ｃ断面図。
【図５】本発明の紙幣識別機の磁気ヘッド装置における押付けローラの他の実施形態例を示し、（Ａ）は正面図、（Ｂ）は（Ａ）のＤ−Ｄ断面図。
【図６】本発明の押付けローラへの紙幣の進入状態を示す拡大図。
【図７】従来の紙幣識別機の磁気ヘッド装置の側面図。
【図８】従来の押付けローラへの紙幣の進入状態を示す拡大図。
【符号の説明】
１  紙幣識別機
２  上部ユニット
３  下部ユニット
４  搬送面
５  紙葉類としての紙幣
７  磁気ヘッド
８  第１回転軸
９  押付けローラ
９ａ  第１回転体
９ｂ  毛
１３  第２回転体
【図１】
0003547540.tif 000002
【図２】
0003547540.tif 000003
【図３】
0003547540.tif 000004
【図４】
0003547540.tif 000005
【図５】
0003547540.tif 000006
【図６】
0003547540.tif 000007
【図７】
0003547540.tif 000008
【図８】
0003547540.tif 000009